Podtech/llm-jp-corpus-v4-ja_patent huggingface dataset:
(57)【要約】      （修正有）【課題】戸口除雪用ミニ建設機械であって、高齢者や女性でも安全に、かつ経済的に負担の少ない維持管理費用で、除排雪が実施でき、その保管にも極めて狭い面積で管理できる極小建設機械を提供する。【解決手段】極小建設機械である、ミニパワーショベルの作業用アーム先端１０に、幅広バケット２０を装着する装着部位を設けるとともに、その装着部位に幅広バケットを装着することにより積雪地帯における、除排雪を可能とすることを特徴とし、また本体下部に左右対で駆動するキャタピラ部の前部に突出するアーム支持部に排雪板３０を装着し、積雪時の雪の集積も可能とすることを特徴とする。【選択図】図１
0003192641.tif 000002
【実用新案登録請求の範囲】
【請求項１】
ミニパワーショベルの作業用アーム先端に、幅広バッケットを装着する装着部位を設けるとともに、バケット構造装着により積雪地帯の除排雪を可能とすることを特徴とするミニ建設機械
【請求項２】
請求項１のミニ建設機械は、排雪板を設け、積雪時の雪の集積も可能とすることを特徴とするミニ建設機械
【考案の詳細な説明】
【技術分野】
【０００１】わが国の、冬季積雪地域の除排雪機器には、機械本体の自重により、操作性が悪く、身体に重要なダメージを受ける等、深刻な課題をもっており、一般家庭でのでの除排雪には肉体的にも経済的にも大きな負担となっていることです。
【背景技術】
【０００２】そこで、既存のミニパワーショベル建設機械に加工を加え、積雪地帯向けオリジナルアタッチメントである幅広バケットと前面幅広オリジナルブレードを装着し、暴走を抑止する安全装置を備えたミニ建設機械に関する技術である。
【先行技術文献】
【特許文献】
【０００３】
【特許並びに実用新案登録文献】
実用新案登録第３１０７０３９号は、ロータリー型除排雪機械があり、雪を前部でかき集め、アタッチメントにロータリー羽根を設け、ロータリー羽根を回転させ、遠くに雪を飛ばす方式である。
【考案の概要】
【考案が解決しようとする課題】
【０００４】現在、汎用され、先行技術である、ロータリー型除排雪機械があるが、家庭で戸口に使用できるタイプも、既に市販されているが、高齢者や女性には扱いずらく、ロータリー回転羽根部分に巻き込まれる事故が多発しているという欠点があった。【０００５】通常のミニパワーショベルは、その作業用アーム先端に取り付けられるアタッチメントは、土石掘り用ショベルであり、除排雪には適さないアタッチメントであり、北国等の積雪地帯での改良が望まれていた。
【考案の効果】
【０００６】北国の積雪地帯で、誰でもが簡単に、安全で体力を必要とせず、しかも維持管理面では、経済的負担の少ない設計を母体とする、ミニパワーショベル建設機械を本体として採用し、除排雪を高齢者や女性でも容易とするものである。
【課題を解決するための手段】
【０００７】本考案、戸口除雪用ミニ建設機械による除排雪は、高齢者や女性でも安全に、かつ経済的に負担の少ない維持管理費用で、除排雪が実施でき、その保管にも極めて狭い面積で管理できる効果を生み出すことが出来た。
【図面の簡単な説明】
【０００８】
【図１】本考案、戸口除雪用ミニ建設機械の、側面からの平面図
【図２】本考案、戸口除雪用ミニ建設機械の、正面からの平面図
【図３】本考案、戸口除雪用ミニ建設機械の、上面からの平面図
【考案を実施するための形態】
【０００９】本考案、戸口除雪用ミニ建設機械本体Ｘから、運転者が落車した場合を想定し、操縦座席５０からの加重が開放されると、安全装置が働き、エンジンが停止する装置を内蔵した。
【００１０】また、ミニパワーショベルの作業用アーム先端に、７００ｍｍタイプの幅広オリジナルバッケット２０を製造装着し、バケット構造は雪の集積に耐える構造とした。
【００１１】そして、ミニパワーショベル自走動力系統は、キャタピラー方式４０であるが、戸口除雪用ミニ建設機械本体Ｘ前面に排雪用排土版型オリジナルブレード３０を車幅と同幅で、新たに製造装着した。
【００１２】本考案、戸口除雪用ミニ建設機械Ｘの本体質量は３トン未満であるが、この建設機械の運転には、車両系建設機械の運転業務に関わる特別教育の受講が必要であることから、本体への改造は安全装置部分の限定的な改造に留めました。
【実施例】
【００１３】本考案の実施例を、図１から図３にて説明すると、戸口除雪用ミニ建設機械本体Ｘには、運転者が落車した場合を想定し、操縦座席５０からの加重が開放されると、安全装置が働き、自動的にエンジンが停止し、暴走を抑止する装置を内蔵した。【００１４】また、戸口除雪用ミニ建設機械本体Ｘの作業用アーム先端１０には、７００ｍｍタイプの幅広オリジナルバッケット２０を製造し装着、バケット構造は雪の重量並びに集積に耐える構造とした。【００１５】そして、戸口除雪用ミニ建設機械Ｘは自走動力系統には、キャタピラ型４０を採用しているが、積雪時に備えた駆動系がであるが、その前面に排雪用排土板型オリジナルブレード３０を車幅と同幅で、新たに製造装着した。【００１６】本考案、戸口除雪用ミニ建設機械の本体質量は３トン未満とし、この建設機械の運転に際し、特別教育の受講のみで可能とするため、本体への改造は安全装置部分の限定的な改造に留めました。
【産業上の利用可能性】
【００１７】本考案、戸口除雪用ミニ建設機械Ｘの改良は、家庭用園芸及び家庭用菜園での、掘削作業、整地作業に応用活用出来るものとなりました。
【符号の説明】
【００１８】  Ｘ・・・戸口除雪用ミニ建設機械本体
Ｙ・・・戸口除雪用ミニ建設機械の運転者
１・・・ミニ建設機械アームバケット上下動作操舵桿
２・・・ミニ建設機械ベケット救い上げ操舵桿
３・・・ミニ建設機械排雪板ブレード操舵桿
１０・・・戸口除雪用ミニ建設機械アタッチメン支持アーム
２０・・・戸口除雪用ミニ建設機械専用排雪用幅広オリジナルバケット
３０・・・戸口除雪用ミニ建設機械排雪板オリジナルブレード
４０・・・戸口除雪用ミニ建設機械の自走用キャタピラ
５０・・・戸口除雪用ミニ建設機械の運転席
【図１】
0003192641.tif 000003
【図２】
0003192641.tif 000004
【図３】
0003192641.tif 000005
【手続補正書】
【提出日】平成26年6月3日(2014.6.3)
【手続補正１】
【補正対象書類名】実用新案登録請求の範囲
【補正対象項目名】全文
【補正方法】変更
【補正の内容】
【実用新案登録請求の範囲】
【請求項１】
極小建設機械である、ミニパワーショベルの作業用アーム先端に、幅広バケットを装着する装着部位を設けるとともに、その装着部位に幅広バケットを装着することにより積雪地帯における、除排雪を可能とすることを特徴とする極小建設機械
【請求項２】
請求項１の極小建設機械は、本体下部に左右対で駆動するキャタピラ部の前部に突出するアーム支持部に排雪板を装着し、積雪時の雪の集積も可能とすることを特徴とする極小建設機械
(57)【要約】      （修正有）【課題】脚部とローラ台との結合を容易かつスピーディに行うことができる上、結合した後に構造が堅牢となるキャスターのカシメ固定構造を提供する。【解決手段】キャスターのカシメ固定構造は、脚部１０、ローラ台１１及び縦軸１２を備える。脚部１０は、縦向きに形成された中心孔１０１を有する。ローラ台１１は、横向きに形成されたシャフト孔１１０と、縦向きに形成された縦軸槽１１１とを有する。縦軸槽１１１の末端には、縦軸１２の末端部に形成された凸縁１２０を収納する収納槽が形成される。収納槽は、縦軸槽１１１と連通する。縦軸１２の下段部はローラ台１１の縦軸槽１１１に挿設され、凸縁１２０が縦軸槽１１１の末端の収納槽内に係止され、縦軸１２の上段部が脚部の中心孔１０１に挿設されて縦軸上段部の頂端が脚部にカシメ固定され、ローラ台と脚部とが枢着される。【選択図】図３
0003192695.tif 000002
【実用新案登録請求の範囲】
【請求項１】
脚部、ローラ台及び縦軸を備えるキャスターのカシメ固定構造であって、
上記脚部は、縦向きに形成された中心孔を有し、
上記ローラ台は、横向きに形成されたシャフト孔と、縦向きに形成された縦軸槽と、を有し、縦軸槽の末端には、縦軸の末端部に形成された凸縁を収納する収納槽が形成され、収納槽は、縦軸槽と連通し、
上記縦軸の下段部はローラ台の縦軸槽に挿設され、縦軸の底端に形成された凸縁が縦軸槽の末端の収納槽内に係止され、縦軸の上段部が脚部の中心孔に挿設されて縦軸上段部の頂端が脚部にカシメ固定され、ローラ台と脚部とが枢着されることを特徴とするキャスターのカシメ固定構造。
【考案の詳細な説明】
【技術分野】
【０００１】
本考案は、キャスターのカシメ固定構造に関し、特に、自動方式により容易かつスピーディに組立て、人的コスト及び時間を減らすキャスターのカシメ固定構造に関する。
【背景技術】
【０００２】
図１に示すように、従来のキャスターのカシメ固定構造は、組立部材４０を含む。組立部材４０は、複数の組立領域４１を含む。組立領域４１には、固定孔４３が形成されている。固定孔４３の末端には、固定末端孔４２が形成されている。固定末端孔４２には、独立式のキャスターがカシメ固定されている。実際に組み立てる場合、キャスタフレーム７０の組立部７２、下盤体８３、受リング８２、上盤体８１と、組立部材４０の組立領域４１の固定孔４３と、に連軸枢着部材７５を挿通させた後、連軸リベット７６により互いにカシメ固定を行う。この組立て方式は、連軸枢着部材７５を各部材へそれぞれ挿通させた後に連軸リベット７６によりカシメ固定されるが、組立て及びカシメ固定を手作業で行うため、組立て速度が遅いため生産台数が少なく、人的コスト及び時間が多くかかった。
【考案の概要】
【考案が解決しようとする課題】
【０００３】
本考案の目的は、脚部とローラ台との結合を容易かつスピーディに行うことができる上、結合した後に構造が堅牢となるキャスターのカシメ固定構造を提供することにある。
【課題を解決するための手段】
【０００４】
上記課題を解決するために、本考案の第１の形態によれば、脚部、ローラ台及び縦軸を備えるキャスターのカシメ固定構造であって、脚部は、縦向きに形成された中心孔を有し、ローラ台は、横向きに形成されたシャフト孔と、縦向きに形成された縦軸槽と、を有し、縦軸槽の末端には、縦軸の末端部に形成された凸縁を収納する収納槽が形成され、収納槽は、縦軸槽と連通し、縦軸の下段部はローラ台の縦軸槽に挿設され、縦軸の底端に形成された凸縁が縦軸槽の末端の収納槽内に係止され、縦軸の上段部が脚部の中心孔に挿設されて縦軸上段部の頂端が脚部にカシメ固定され、ローラ台と脚部とが枢着されることを特徴とするキャスターのカシメ固定構造が提供される。
【図面の簡単な説明】
【０００５】
【図１】従来のキャスターのカシメ固定構造を示す分解斜視図である。
【図２】本考案の一実施形態に係るキャスターのカシメ固定構造を示す斜視図である。
【図３】本考案の一実施形態に係るキャスターのカシメ固定構造を示す分解斜視図である。
【図４】本考案の一実施形態に係るキャスターのカシメ固定構造を示す断面図である。
【考案を実施するための形態】
【０００６】
図２〜図４を参照する。図２〜図４に示すように、本考案の一実施形態に係るキャスターのカシメ固定構造は、少なくとも脚部１０、ローラ台１１及び縦軸１２から構成される。脚部１０は、縦向きに形成された中心孔１０１を有する。ローラ台１１は、横向きに形成されたシャフト孔１１０と、縦向きに形成された縦軸槽１１１と、を有する。縦軸槽１１１の末端には、縦軸１２の末端部に形成された凸縁１２０を収納する収納槽１１２が形成されている。収納槽１１２は、縦軸槽１１１と連通する。縦軸１２の下段部１２１はローラ台１１の縦軸槽１１１に挿設され、縦軸１２の底端に形成された凸縁１２０を縦軸槽１１１の末端の収納槽１１２内に係止させ、縦軸１２の上段部１２２が脚部１０の中心孔１０１に挿設されて縦軸１２上端部の頂端が脚部１０にカシメ固定され、ローラ台１１と脚部１０とが枢着される。
【符号の説明】
【０００７】
１０  脚部
１１  ローラ台
１２  縦軸
４０  組立部材
４１  組立領域
４２  固定末端孔
４３  固定孔
７０  キャスタフレーム
７２  組立部
７５  連軸枢着部材
７６  連軸リベット
８１  上盤体
８２  受リング
８３  下盤体
１０１  中心孔
１１０  シャフト孔
１１１  縦軸槽
１１２  収納槽
１２０  凸縁
１２１  下段部
１２２  上段部
【図１】
0003192695.tif 000003
【図２】
0003192695.tif 000004
【図３】
0003192695.tif 000005
【図４】
0003192695.tif 000006
(57)【要約】      （修正有）【課題】介護、医療現場に於いて被介護者や身体不自由な状態にある傷病者が頭髪の洗浄を希望しこれをベッド上で実施する場合に生じる洗浄水に寄る介護、医療用のベッドや寝具が汚損湿潤するのを防止する介護医療用防水シートを提供する。【解決手段】ポリエステルの布地に防水用のゴム液を浸透若しくは塗付したシートに排水用の連結口６を設け、シートの外周を立ち上げ、シートの両端上部にベットに固定し取り付けるための紐若しくはホック１，２を設置したことを特徴とする。【選択図】図１
0003192628.tif 000002
【実用新案登録請求の範囲】
【請求項１】
介護医療用防水シ−ト
【考案の詳細な説明】
【技術分野】
【０００１】介護、医療用品製造分野
【背景技術】
【０００２】介護、医療用品の物作り分野
【先行技術文献】
【特許文献】
【特許文献Ｉ】特許庁公開広報参考文献参照
【特許文献２】特許庁公開広報参考文献参照
【非特許文献】
【０００４】
【非特許文献Ｉ】公開技報｜非特許文献調査｜その他調査｜「ｅ−ｐａｔｅｎｔ」知的財産（特許庁）を参照
【非特許文献２】同上参照
【考案の概要】
介護、医療現場に於いて、被介護者や傷病者が頭髪の洗浄を希望  此を実施する際、介護、医療用ベッドが洗髪に使用された洗浄水により湿潤汚損するのを防止する為の防水シート
【考案が解決しようとする課題】介護、医療現場に於ける被介護者、傷病者が希望する頭髪洗浄の際に生ずる介護医療用ベッドや寝具が洗髪に使用された洗浄水により汚損湿潤するのを防止する
【課題を解決するための手段】頭髪の洗浄時に使用する防水シートの新規開発と製造
【考案の効果】介護、医療現場に於ける被介護者、傷病者の頭髪洗浄時に於けるベッドや寝具が洗浄水により汚損湿潤するのを防止、防水シートの新規開発製造が発生
【図面の簡単な説明】介護、医療用のベッド上で、頭髪洗浄時に使用する防水シートを設置した時の
【図１】平面図
【図２】立体図
【考案を実施するための形態】
防水シートの新規開発製造
【実施例】現時点に於ける目覗例は無い
【図１】
0003192628.tif 000003
【図２】
0003192628.tif 000004
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
介護医療用防水シ−ト
【手続補正書】
【提出日】平成25年12月16日(2013.12.16)
【手続補正１】
【補正対象書類名】実用新案登録請求の範囲
【補正対象項目名】全文
【補正方法】変更
【補正の内容】
【実用新案登録請求の範囲】
【請求項１】
介護医療用防水シ−ト
縦８００ミリ、横９５０ミリ、厚さ１ミリのシ―トの両端上部にベツトに固定し取り付ける紐、若しくはホックを設置し、立ち上げ幅、上端より３５０ミリ下方の部分から頭部保持枕を設置する部分までの長方形の敷布の外周に３０ミリ角のプラスッチク材を封入し、シ―トの右端の横９５０ミリと縦２５０ミリの交点と左端の横９５０ミリと縦２５０ミリの交わる位置に排水用の連結口を設けたポリエステルの布地に防水用のゴム液を浸透、若しくは塗付した敷布
【手続補正書】
【提出日】平成26年4月18日(2014.4.18)
【手続補正１】
【補正対象書類名】実用新案登録請求の範囲
【補正対象項目名】全文
【補正方法】変更
【補正の内容】
【実用新案登録請求の範囲】
【請求項１】
ポリエステルの布地に防水用のゴム液を浸透若しくは塗付したシートに排水用の連結口を設け、前記シートの外周を立ち上げ、前記シートの両端上部にベットに固定し取り付けるための紐若しくはホックを設置したことを特徴とする介護医療用防水シート
(57)【要約】      （修正有）【課題】ゴム製マグネットを貼付することで長期間の掲載が可能となり高い広告効果を有するチラシ等紙広告物を提供する。【解決手段】チラシ等紙広告物１にゴム製マグネット２を貼付する。これにより、冷蔵庫などの金属面に容易に貼付ける事ができ、すぐに廃棄される事が少なくなる。【選択図】図１
0003192673.tif 000002
【実用新案登録請求の範囲】
【請求項１】
広告効果を向上するためにゴム製マグネットを貼付したチラシ等の紙広告物。
【考案の詳細な説明】
【技術分野】本考案はチラシ等の印刷物に関する。
【背景技術】チラシなどの印刷物は掲載商品の宣伝に使われている
【考案の概要】
【考案が解決しようとする課題】しかしながら、容易に保存して閲覧に適した方法がないために短時間で廃棄されてしまい広告としての効果が薄れてしまっている。
【課題を解決するための手段】ゴム製のマグネットをチラシ等の紙広告物に貼付することで冷蔵庫などの磁石が貼付く家電・家具に接着させる事で上記の課題を解決するものである。
【考案の効果】一般にはすぐに捨てられてしまう新聞折込広告物やポスティングチラシにゴム製マグネットを貼付することで冷蔵庫などの金属に容易に貼付ける事ができ、すぐに廃棄される事が少なくなる事で、広告効果をあげる事ができ実用性に優れた物である。
【図面の簡単な説明】
【図１】本考案に係るマグネット付き紙広告物の正面図である。
【考案を実施するための形態】
図１、に示すようにチラシ等の印刷物にゴム製マグネットを両面テープや糊で貼付する。
【符号の説明】１  印刷物
２  ゴム製マグネット
【図１】
0003192673.tif 000003
(57)【要約】      （修正有）【課題】ヘルメットの外形を安全性を損なわずに小さく小型軽量にするための、高性能衝撃吸収ライナと軽量で安価な衝撃吸収ライナとを組み合わせて、使用したヘルメットを提供する。【解決手段】高性能衝撃吸収ライナ２３を衝撃吸収ライナ２２の内側に貼り付け、衝撃を吸収する。衝撃吸収ライナ２２はヘルメット使用時に事故などで発泡スチロールが変形しエネルギーを吸収する。高性能衝撃吸収ライナ２３は比重が１．４程度あるため、ヘルメット全体の重量をなるべく軽くする意味で薄く使用する。従来のスチロールの良さである軽量である点と高性能衝撃吸収ウレタン材との複合効果で従来の衝撃吸収ライナだけの場合よりヘルメットの外形を小さくできる。【選択図】図２
0003192678.tif 000002
【実用新案登録請求の範囲】
【請求項１】
合成樹脂製のシェルの内面に衝撃吸収用ライナを設けたヘルメットにおいて、前記衝撃吸収用ライナはインナーライナとアウターライナとからなる。インナーライナを高性能衝撃吸収ポリウレタンとし、アウターライナを薄型にし、シェルの大きさを小型にしたことを特徴とするヘルメット。
【考案の詳細な説明】
【技術分野】
【０００１】本考案は、高い衝撃吸収性を持ちながら、従来より小型化したヘルメットに関するものである。
【背景技術】
【０００２】自動二輪車あるいは自動車などを運転する際に着用されるヘルメットは、事故等のときに、装着者の頭部を保護出来る様に、規格に定められた強度を持っている。一般的に用いられるヘルメットは、主な部分（明細書において「シェル」という）はＡＢＳ合成樹脂やガラス繊維強化プラスチックなどで構成されている。【０００３】図１は、頭部及び側頭部のみを保護する形状でオープンフェース型と呼ばれているヘルメット１０の側断面図である。このヘルメット１０はシェル１１と衝撃吸収ライナ１２からなり、衝撃吸収ライナ１２は発泡スチロールが使用されている。【０００４】２００７年オートバイ用ヘルメットの安全規格ＪＩＳＴ８１３３が厳しくなり、ヘルメットの衝撃吸収の為に使用されている衝撃吸収ライナ１２は厚くなっている。そのためヘルメット１０の外形が大きくなり、デザイン性に犠牲が出てきた。
【先行技術文献】
【０００５】
【特許文献】
【特許文献】実用新案第３１８４５０５号  頭部保護具は軟質ポリウレタンを使用した例。公開特許第２０１２−２０５６６５号  靴用インソールは靴の中敷きに使用した例。公開特許  平１１−１７２５１７号  ヘルメットの小型、軽量化に関する例。
【考案の概要】
【考案が解決しようとする課題】
【０００６】ヘルメットは一般的に装着感の上から軽量で比較的小型のものが好まれる。ヘルメットの左右幅が広いものより、左右幅の狭いものの方が外観上及び空力上からも好ましい。ところが、ヘルメットの外側を形成する前記シェルは、金型を用いて成型され、その金型の設計及び製造にコストを要するために多品種を揃えることは実際は困難であり、また、所定の強度が要求されるヘルメットでは、軽量化とスリム化を計るために、従来のシェルや衝撃吸収ライナ１２をそのまま薄くして軽量化とスリム化を図ろうすると、強度が低下するという問題がある。【０００７】そこで、本発明は、このような問題点を解決しようとするもので、必要な強度を保ちながら、従来に比べて軽量化とスリム化が可能なヘルメットを提供することができる。
衝撃吸収ライナ１２の体積を減少させ、ヘルメット外形を小型軽量にし、デザイン性が良いヘルメットを製造する方法の提供を課題とする。
【考案が解決しようとする課題】
【０００８】請求項１の発明はヘルメット２０のシェル２１の内面に衝撃吸収発泡スチロールライナ２２を設けたヘルメット２０において、衝撃吸収ライナ２２は頭部保護効果は高いが、その組成物による硬度の高さから個人間の頭部形状の違いに適合していく柔軟性はほとんどない。このため人によってはヘルメット内部形状が合わず頭部に痛みを感じたり、快適に装着できない。本考案はヘルメットを快適に装着する方法を提供することを課題とする。
【考案が解決しようとする課題】
【０００９】発泡スチロールは熱伝導率が低いため、ヘルメットの内部では熱の移動が少なく、保温された状態となり、快適性が損なわれる。本考案はヘルメット内部の温度上昇を防ぎ快適に使用できる方法を提供することを課題とする。
【課題を解決するための手段】
【００１０】高性能衝撃吸収ライナ２３を衝撃吸収ライナ２２の内側に貼り付け、衝撃を吸収する。衝撃吸収ライナ２２はヘルメット使用時に事故などで発泡スチロールが変形しエネルギーを吸収する。高性能衝撃吸材は比重が１．４程度あるため、非常に重く、数ミリ程度で使用し、従来の発泡スチロールの良さである軽量である点と高性能衝撃吸収ウレタン材との複合効果で従来の衝撃吸収ライナ１２だけの場合よりヘルメットの外形を小さくできる。【００１１】高性能衝撃吸材としては、アルファゲル（登録商標：株式会社タイカ）、ＮＰゲル（登録商標：株式会社タイカ）、ソルボセイン（登録商標：三進興産株式会社）、ハイパーゲル（登録商標：エクシールコーポレーション）等が挙げられる。
【課題を解決するための手段】
【００１２】高性能衝撃吸収ライナ２３は柔らかく肌あたりが良いため、高性能衝撃吸収ライナ２３を衝撃吸収ライナ２２の内側に貼りつけることにより、頭部の当たり心地を改善する。
【課題を解決するための手段】
【００１３】熱伝導率が衝撃吸収ライナ２２の１０倍程度ある高性能衝撃吸収ライナ２３を衝撃吸収ライナ２２の内側に貼りつけることにより、内部の熱をヘルメット外周へ逃がし、ヘルメットの快適性を改善する。
【考案の効果】
【デザイン性の向上】
【００１４】ヘルメットの外形は、薄型の高性能衝撃吸収ライナ２３と衝撃吸収ライナ２２を合わせて使用したことで小型・軽量のヘルメットになる。
【ソフトな被り心地】
【００１５】衝撃吸収インナー２２はその組成物による硬度の高さから個人間の頭部形状の違いに適合していく柔軟性はほとんどない。そこでソフトな肌触りの高性能衝撃吸収ウレタンインナ２３を内側に貼りつけることにより、ヘルメットのかぶり心地を向上させる。
【快適性の向上】
【００１６】高性能衝撃吸ライナ２３は発泡スチロールの１０倍の熱伝導率があるため内部の熱エネルギーを外部に早く逃がすことができる。そこでヘルメットの内部の温度上昇が抑えられ、快適なかぶり心地となる。
【図面の簡単な説明】
【００１７】
【図１】従来のヘルメットの着用状態を示す側断面図である。
【図２】本考案の実施形態にかかわる側断面図である。
【産業上の利用可能性】
【００１８】
【スポーツ用ヘルメット】
衝撃吸収性能が高く小型の本考案のヘルメットは、野球、ラグビーなどの頭部の保護が必要なヘルメットに応用可能である。
【符号の説明】
【００１９】（１０）ヘルメット
（１１）シェル
（１２）衝撃吸収ライナ
（２０）ヘルメット
（２１）シェル
（２２）衝撃吸収ライナ
（２３）高性能衝撃吸収ライナー
【図１】
0003192678.tif 000003
【図２】
0003192678.tif 000004
(57)【要約】      （修正有）【課題】食中毒の危険性を低減する包装材を提供する。【解決手段】紙又は樹脂からなる包装材１に、二酸化チタン２を印刷機で塗布することで発生する活性酸素の減菌・減菌能力を使うことで、包む以外の機能を持たせるものである。【選択図】図３
0003192674.tif 000002
【実用新案登録請求の範囲】
【請求項１】
紙又は樹脂からなる包装材に印刷機で二酸化チタンを含有するインクを塗布する事で活性酸素を包装材表面に発生させ活性酸素の除菌効果を利用し包装される内容物の食中毒危険性の低減する包装材。
【考案の詳細な説明】
【技術分野】本考案は、紙または樹脂からなる包装材に関する。
【背景技術】印刷機が一般的に持つインクの塗布技術。
【考案の概要】
【考案が解決しようとする課題】食品の包装紙などの包装材は内容物を体裁良く包むための物であり、それ以上の機能を持たなかった。
【課題を解決するための手段】本考案は、紙又は樹脂からなる包装材に、二酸化チタンを印刷機で塗布することで発生する活性酸素の減菌・滅菌能力を使うことで、包む以外の機能を持たせるものである。
【考案の効果】内容物を食したときの食中毒の危険性を低減させることで包装材の一層の実用性を高める事ができる。
【図面の簡単な説明】
【図１】本考案に係る除菌機能を持つ包装材の側面図
【図２】本考案に係る除菌機能を持つ包装材の正面図
【図３】本考案に係る除菌機能を持つ包装材の断面図
【考案を実施するための形態】
印刷機でチラシなどを印刷する過程と同じであるが、カラー印刷用インクに代えて二酸化チタン入りのインク（一般に白インクという）を投入する。
【符号の説明】１  紙又は樹脂
２  二酸化チタン含有インク
【図１】
0003192674.tif 000003
【図２】
0003192674.tif 000004
【図３】
0003192674.tif 000005
(57)【要約】      （修正有）【課題】ベルトを使用するズボンにおいて、ベルトの締め方の強弱にかかわらず、ベルトのバックルをズボンのウエストバンド部の前中心部に固定することのできるズボンのピンループを提供する。【解決手段】ズボン１は前身頃２、ウエストバンド部３、ベルトループ４などからなり、ズボン１のウエストバンド部の前中心部に、ピンループ５を設けている。ピンループ５は、ピン通し孔６付きゴムテープを使用する。ピン通し孔付きゴムテープの長さは、ウエストバンド部３の幅方向の長さにあわせ、ゴムテープの両端をウエストバンド部３の前中心部の幅方向の両端に縫着し、ウエストバンド部３とゴムテープで輪を形成する。このとき、ゴムテープのピン通し孔６はウエストバンド部３の幅方向の中心にくるように配置する。【選択図】図１
0003192682.tif 000002
【実用新案登録請求の範囲】
【請求項１】
ズボンのウエストバンド部の幅方向の長さを有するゴムテープの両端をウエストバンド部の前中心部の幅方向の両端に縫着して、ウエストバンド部とゴムテープで輪を形成しており、ゴムテープの中心にピン通し孔を有していることを特徴とするズボンのピンループ。
【考案の詳細な説明】
【技術分野】
【０００１】
本考案は、ズボンに通したベルトをズボンのウエストバンド部に固定することのできるピンループに関するものである。
【背景技術】
【０００２】
ズボンのウエスト部分をベルトで締めるには、ベルトをズボンのベルトループに通して使用するが、ズボンの前あわせのボタン部分にはベルトループがないため、ベルトが上にずり上がらないよう、ズボンのウエストバンド部へ固定するずれ防止具が考えられている（特許文献１参照）
また、図４に示すように、ピンループ（もしくは、プロングループ）と呼ばれ、ベルトのピンを通しベルトのバックルが左右上下にずれないよう固定するためのものがある。図４のピンループ１０の基部は前身頃２とウエストバンド部３との間の一カ所で縫い合わされており、使用しない場合には下に垂れ下がっている。ピンループ１０の長さは、上に持ち上げるとピンループ１０の先端がウエストバンド部の幅方向の中心位置になるよう形成されており、ピンをピンループに通してベルト７を締めるとウエストバンド部３より上に上がらず、ウエストバンド部３とベルト７がぴったり重なって、美しいフォルムを形成する。
【先行技術文献】
【特許文献】
【０００３】
【特許文献１】実開平０１−４５１２２号公報
【考案の概要】
【考案が解決しようとする課題】
【０００４】
しかし、肥満体型の人が、食事の前後で、お腹が大きくなった場合でも、締め直さなくてもよいように、着衣時にあらかじめベルトに余裕をもたせて締める場合がある。従来のピンループではウエストバンド部よりピンループが下に垂れ下がっているため、ベルトのピンをピンループに通していても、ベルトの締め方に余裕があると、ベルトのバックルが下がってしまうという問題があった。
そこで、本考案は、ベルトの締め方の強弱にかかわらず、ベルトのバックルをズボンのウエストバンド部に固定することのできるズボンのピンループを提供することを目的とする。
【課題を解決するための手段】
【０００５】
上記目的を達成するために、本考案のズボンのピンループは、ウエストバンド部の幅方向の長さにあわせたピン通し孔付きのゴムテープの両端をウエストバンド部の前中心部の幅方向の両端に縫着し、ウエストバンド部とゴムテープで輪を形成する。このとき、ゴムテープのピン通し孔はウエストバンド部の幅方向の中心にくるようにする。
【考案の効果】
【０００６】
この考案によれば、ゴムテープのピン通し孔はウエストバンド部の幅方向の中心にあるので、ピンをピン通し孔に通して使用すると、ベルトの締め方の強弱にかかわらず、常にベルトのバックルがズボンのウエストバンド部に固定される。また、従来のピンループでは長さが短いためピンを通しにくいものであったが、ゴムテープを使用しているため、バックルの中から引き出しやすく、ピンを通しやすいものとなった。
【図面の簡単な説明】
【０００７】
【図１】本考案に係るズボンのピンループを示す図である。
【図２】ズボンのピンループにベルトのバックルのピンを通した状態を示す図である。
【図３】ズボンにベルトを締めた状態を示す図である。
【図４】従来のピンループにベルトのピンを通した状態を示す図である。
【考案を実施するための形態】
【０００８】
以下、本考案に係るズボンのピンループの一実施の形態について、図１〜図３に基づいて説明する。
図１は本考案に係るズボン１のピンループを正面から見た図を示している。ズボン１は前身頃２、ウエストバンド部３、ベルトループ４などからなり、ズボン１のウエストバンド部の前中心部に、ピンループ５を設けている。ピンループ５は、ピン通し孔６付きゴムテープを使用する。ピン通し孔付きゴムテープの長さは、ウエストバンド部３の幅方向の長さにあわせ、ゴムテープの両端をウエストバンド部３の前中心部の幅方向の両端に縫着し、ウエストバンド部３とゴムテープで輪を形成する。このとき、ゴムテープのピン通し孔６はウエストバンド部３の幅方向の中心にくるように配置する。
【０００９】
図２は、ズボン１のピンループ５にベルト７のバックル８のピン９を通した状態を示す図で、ベルト７のバックル８をピンループ５の位置に合わせ、バックル８の中からピンループ５を引き出し、バックル８のピン９をピンループ５のピン通し孔６に通して使用する。ピンループがゴム製なので、伸縮性があり、バックルの中から引き出しやすく、ピンを通しやすいものとなった。
【００１０】
図３は、ズボンにベルトを締めた状態を示しており、ピンループは見えない状態となる。ベルトのピンをピンループのピン通し孔に通しているので、ベルトをゆるめに締めた場合でも、バックルが下がることなく、ウエストバンドの前中心部に固定されるものとなった。
【符号の説明】
【００１１】
１    ズボン
２    前身頃
３    ウエストバンド部
４    ベルトループ
５    ピンループ
６    ピン通し孔
７    ベルト
８    バックル
９    ピン
【図１】
0003192682.tif 000003
【図２】
0003192682.tif 000004
【図３】
0003192682.tif 000005
【図４】
0003192682.tif 000006
(57)【要約】      （修正有）【課題】自動車の運行で、スタート時や車線変更時または右左折を行う場合に、安全確認上の死角を無くして不測の交通事故を回避するアウトサイドミラーを提供する。【解決手段】自動車に備え付けられたアウトサイドミラーであって、鏡面８と、前記自動車の方向指示と電気的に接続された電磁石６，７とを有し、前記方向指示器の動作に連動して前記電磁石が駆動し、前記鏡面の角度を変更可能となっていることを特徴とする。【選択図】図５
0003192632.tif 000002
【実用新案登録請求の範囲】
【請求項１】
自動車の安全運転の為、運行上の死角を無くすことを目的とし、自動車に備え付けられた左右のアウトサイドミラーを方向指示器と連動させて、標準角度で５度程度転移させる事により、瞬時に死角を無くすことを特徴とする。
【考案の詳細な説明】
【考案の概要】
【考案が解決しようとする課題】
【０００１】自動車の運行で、スタート時や車線変更時、更に右左折を試みる場合は安全確認上どうしても死角が生じる。死角問題を解決し不測の交通事故を回避する事を可能とする。
【課題を解決するための手段】
【０００２】既存の設備としてアウトサイドミラーは後方確認に必要な設備である。しかし、現状のアウトサイドミラーでは反射による視認範囲に限界がありどうしても死角が出来てしまう。既に死角を補うための考案として、同一の鏡面に角度の異なる部位をセットするが実用的ではない。本考案は、アウトサイドミラーの鏡面を瞬時に角度を変えて死角を視認出来るようにする事である。【０００３】既に、アウトサイドミラーに方向指示機能が実用化装備されている。自動車の操作上方向指示器に連動して左右のアウトサイドミラーの角度を標準角度で５度程度転移させれば、運転者はその意志をもって死角であった方向を視認できる様になる。ハンドルの戻りによって方向指示器がリセットされると連動してアウトサイドミラーの角度も元の状態に戻ることが可能となる。【０００４】方向指示器との連動及び瞬発性を考慮すると、電磁石の応用による作用とスプリングによる復帰が最も適していると思われる。更に、本考案による方向指示器連動がどうしても不向きな運転者の為に、作動用の回線選択スイッチが手元に必要である。作動選択スイッチを装備する事によって、自動車運転の環境に適した使用が可能となる。
【考案の効果】
【０００５】自動車運転の実際として、運転者は車線変更や右左折を試みようとした場合、まず同方向のアウトサイドミラーで視認する。安全が確認出来たところで方向指示器を作動させる。すなわち、第一段階でアウトサイドミラーで視認後、第二段階として方向指示器を作動させ更に死角となっていた方向の安全が視認される。結果として、安心して車線変更や右左折が可能となる。
【図面の簡単な説明】
【０００６】
【図１】一般的な自動車に備えられた安全確認上必要な左右の各アウトサイドミラーを示す平面図である。
【図２】右側のアウトサイドミラーと、通常時の自動車運転者の視認範囲を表した平面図。
【図３】右側のアウトサイドミラーで方向指示器を右折作動させ、連動してアウトサイドミラーが５度転移した場合の運転者の視認範囲を表した平面図。
【図４】本考案を採用した、自動車右側のアウトサイドミラーの概略構造図である。
【図５】本考案を採用し、方向指示器と連動して作用した場合の自動車右側アウトサイドミラーの概略構造図である。
【図６】本考案の効果として、作動前と作動後の運転者視認範囲を図示した平面図である。
【符号の説明】
【０００７】１  自動車右側のアウトサイドミラー
２  自動車左側のアウトサイドミラー
３  自動車運転者
４  アウトサイドミラーのカバー
５  アウトサイドミラーの鏡面回転の支点
６  電磁石Ａ
７  電磁石Ｂ
８  アウトサイヂミラーの鏡面
９  スプリング
１０  自動車（自車）
１１  自動車（他車）
１２  通常時のアウトサイドミラー（右側）の視認範囲
１３  本考案作動時のアウトサイドミラー（右側）の視認範囲
１４  右側アウトサイドミラーから後方５ｍラインの運転者視認範囲
１５  右側アウトサイドミラーから後方１０ｍラインの運転者視認範囲
【図１】
0003192632.tif 000003
【図２】
0003192632.tif 000004
【図３】
0003192632.tif 000005
【図４】
0003192632.tif 000006
【図５】
0003192632.tif 000007
【図６】
0003192632.tif 000008
【手続補正書】
【提出日】平成26年3月8日(2014.3.8)
【手続補正１】
【補正対象書類名】実用新案登録請求の範囲
【補正対象項目名】全文
【補正方法】変更
【補正の内容】
【実用新案登録請求の範囲】
【請求項１】
自動車に備え付けられたアウトサイドミラーであって、鏡面と、前記自動車の方向指示と電気的に接続された電磁石とを有し、前記方向指示器の動作に連動して前記電磁石が駆動し、前記鏡面の角度を変更可能となっていることを特徴とするアウトサイドミラー。
【手続補正書】
【提出日】平成26年6月9日(2014.6.9)
【手続補正１】
【補正対象書類名】実用新案登録請求の範囲
【補正対象項目名】全文
【補正方法】変更
【補正の内容】
【実用新案登録請求の範囲】
【請求項１】
自動車に備え付けられたアウトサイドミラーであって、鏡面と、前記自動車の方向指示器と電気的に接続された電磁石とを有し、前記方向指示器の動作に連動して前記電磁石が駆動し、前記鏡面の角度を変更可能となっていることを特徴とするアウトサイドミラー。
(57)【要約】      （修正有）【課題】仕上がり精度と作業効率の良いアングルベンダーを提供する。【解決手段】アングルベンダ本体１に取付けたＶ型の刃を有する雌刃１２と、雌刃１２に間隔を有して対置する雄刃３と、雌刃１２と、雄刃３の間に挟んでアングル２０を曲げ加工するアングルベンダーにおいて、雌刃１２の押圧面左右対称位置に突起を突設する。雄刃３上部の領線角部３ａを曲げ加工アングル２０の内側Ｒ部２０ａより大きく角取りをする。雌刃１２と雄刃３の何れか一方を上下動調整可能にする。雌刃１２に間隔を有して対置する雄刃３のＶ型角度を、雌刃のＶ型角度より小さくする。【選択図】図１
0003192132.tif 000002
【実用新案登録請求の範囲】
【請求項１】
アングルベンダ本体に取付けたＶ型の刃を有する雌刃と、同雌刃に間隔を有して対置する雄刃と、前記雌刃と、前記雄刃の間に挟んでアングルを曲げ加工するアングルベンダーにおいて、前記雌刃の押圧面左右対称位置に突起を突設したことを特徴とするアングルベンダー。
【請求項２】
上記雄刃上部の領線角部を曲げ加工アングルの内側Ｒ部より大きく角取りをしたことを特徴とする請求項１に記載のアングルベンダー。
【請求項３】
上記雌刃と上記雄刃の何れか一方を上下動調整可能にしたことを特徴とする請求項１または請求項２に記載のアングルベンダー
【請求項４】
上記雌刃に間隔を有して対置する雄刃のＶ型角度αを、雌刃のＶ型角度βより小さくしたことを特徴とする請求項１または請求項２に記載のアングルベンダ。
【考案の詳細な説明】
【技術分野】
【０００１】  本考案は、アングルベンダーの改良に関する。【０００２】この種のアングルベンダーは、極狭幅アングルのＵ字曲げや□型等の曲げ作業では、アングルを正確に曲げ難く、アングルが歪に曲ると見栄えが悪いために、ハンマーで叩いたり、バーナーで炙ったりして、曲りを修正して、万遍なく正確に曲げることに長時間を要し、かつ、手間が掛かっていた。
【先行技術文献】
【特許文献】
【０００３】
【特許文献１】  特許第２８８３２９２号登録公報
【０００４】
【考案が解決しようとする課題】
【０００５】従来のアングルベンダーは構造上、作業効率や仕上がり精度（寸法）が悪く、曲げ作業に時間が掛かりすぎ、完成品にバラツキがあったり、しかもアングルの捩れや湾曲曲り他が発生していたため、仕上がり精度と作業効率の良いアングルベンダーの提供が切望されていた。
【課題を解決するための手段】
【０００６】  上記の問題を解決するために、本考案は、アングルベンダ本体に取付けたＶ型の雌刃と、同雌刃に間隔を有して対置（相対）する雄刃と、雌刃と、雄刃の間に挟んでアングルを曲げ加工するアングルベンダーにおいて、雌刃の押圧面左右対称位置に突起を突設したことを特徴とするアングルベンダーで、更に、雄刃上部の領線角部をアングルの内側Ｒ部より大きく角取りをし、加えて、雌刃と雄刃の何れか少なくとも一方を、上下動調整可能にしたアングルベンダーで、また、雌刃に間隔を有して対置（相対）する雄刃のＶ型角度αを、雌刃のＶ型角度βより小さくしたアングルベンダーに係る考案である。
【考案の効果】
【０００７】本考案により、工作が容易で仕上がり精度と作業効率が向上したアングルベンダーの提供が可能になった。
【図面の簡単な説明】
【０００８】
【図１】  本考案に係る一実施例を示すアングルベンダーの正面図である。
【図２】  図１を上部より見た平面図である。
【図３】  図２のＡ−Ａ線矢視拡大断面図で、雌刃に突設した突起を示す。
【図４】  図２のＢ−Ｂ線矢視側面拡大図で、雄刃上部の領線角部を示す。
【考案を実施するための形態】
【０００９】  以下、本考案に係る実施の形態を図面に基づき説明する。
【実施例】図１と図２は本考案に係る一実施例を示し、本実施例では、アングルベンダ本体１に取付けたＶ型の刃を有する雌刃１２と、雌刃１２に間隔を有して対置（相対）する雄刃３と、雌刃１２と雄刃３の間に挟んでアングル２０を曲げ加工するアングルベンダーで、図３に図示する雌刃１２の押圧面左右対称位置に突起１２ａを突設したので、曲げ加工したアングル２０の捩れや湾曲曲り発生を皆無にでき、アングル２０の曲げ加工精度と作業効率を著しく向上できるようになった。更に、図４に図示するアングルベンダー用雄刃３上部の領線角部３ａを、被曲げ加工アングル２０の内側Ｒ部２０ａより大きく角取りをして、アングル２０の曲げ加工時に、アングル２０の曲げ加工部が雄刃３から浮き上がって発生するアングル２０の捩れや湾曲曲り等の発生を防止できるようになった。
更に、雌刃１２と雄刃３の何れか一方を、本実施例では、油圧ジャッキ５を介して、被曲げ加工品であるアングルサイズに合わせて、雄刃３を上下動調整可能にした。  具体的には、本実施例では、雄刃３側のテーブル６が上下に動く様に、４本のジャッキボルト７で高さを調整し、各アングルサイズに合わせることにより各種サイズのアングル材を曲げられるようになっている。しかも、雄刃３（受鋼）も極小のアングル材を曲げる時は、油圧ジャッキ５をアングルサイズに合わせられる様、下に降りるよう工夫した。また、本実施例では雌刃１２に間隔を有して対置（相対）する雄刃３のＶ型角度αを８９°とし、雌刃１２のＶ型角度βを９０°として、アングルベンダー本体１の架台上で、雌刃１２が、雄刃３に向って油圧シリンダー本体２の油圧力で、油圧ロッド１３が、雄刃３側に前進して、雄刃３側に定着してある被曲げ加工品のアングル２０を押し曲げたところ、従来のアングルベンダーの不具合である曲げ加工品のアングルを冷間加工で曲げるために、油圧シリンダー本体の油圧力を緩めた際に、被曲げ加工品のアングルが反発して、曲げ加工品のアングルが９０°以上に開こうとすることが防止出来るようになった。【００１０】  図１と図２中の符号８は、油圧シリンダー受け台９から油圧シリンダー本体２が、撥ね上がらない様にした撥ね上がり防止冶具を示し、符号１０は、油圧シリンダー本体２の軸方向にズレを阻止するため、油圧シリンダー受け台９に、とりつけた圧力ストッパーを示している。また、図１中の符号１１は、油圧ジャッキ５の受け台を、符号１３は、油圧ジャッキ５の油圧ロッド１３を図示している。
【産業上の利用可能性】
【００１１】  本考案はアングルベンダーとして、配管業又、造船関連に携わる船の配管工事の支持サポート、又は船の交通装置を製作される業界に使用することが出来る。加工等に使用することが出来る。
【符号の説明】
【００１２】１      アングルベンダー本体
２      油圧シリンダー本体
３      雄刃（受鋼）
α      雄刃のＶ型角度
３ａ    雄刃上部の領線角部
４      雄刃軸受
５      油圧ジャッキ
６      テーブル
７      ジャッキボルト
８      撥ね上がり防止冶具
９      油圧シリンダー受け台
１０    圧力ストッパー
１１    油圧ジャッキの受け台
１２    雌刃
１２ａ  雌刃押圧面の左右対称位置に突設した突起
β    雌刃１２のＶ型角度
１３    油圧ロッド
２０    アングル（被曲げ加工品）
２０ａ  アングルの内側Ｒ部
【図１】
0003192132.tif 000003
【図２】
0003192132.tif 000004
【図３】
0003192132.tif 000005
【図４】
0003192132.tif 000006
(57)【要約】      （修正有）【課題】スプーンとフォークを同時に使用でき尚且つ右利きの人・左利きの人各々が使える可動一体式右利き・左利き兼用スプーンフォークを提供する。【解決手段】スプーン凹面に近い柄の部位でカットしたスプーンＢを、フォークＡ凹面に近い柄の部位に３６０度水平回転できる軸にてフォークＡ凹面にスプーンＢ凹面を向い合わせ回転軸ａに固定する。これによりスプーンＢは回転軸ａを基点として３６０度自由に移動でき、フォークとスプーンの機能を保ちつつ右利き・左利きの人の利き手に関係なくスプーンとフォークを同時に使用できるようにした。【選択図】図１
0003192131.tif 000002
【実用新案登録請求の範囲】
【請求項１】
スプーン凹面に近い柄の部位でカットしたスプーン本体を、フォーク凹面に近い柄の部位に３６０度水平回転できる軸にてフォーク凹面にスプーン凹面を向い合わせ回転軸に固定する。これによりスプーンは回転軸を基点として３６０度自由に移動でき、フォークとスプーンの機能を保ちつつ右利き・左利きの人の利き手に関係なくスプーンとフォークを同時に使用できるようにした可動一体式右利き・左利き兼用スプーンフォーク。
【考案の詳細な説明】
【技術分野】
【０００１】  本考案は、スプーンとフォークを一体にして一本で二本の機能を持たせたものである。
【考案の概要】
【考案が解決しようとする課題】
【０００２】  狭い場所などで弁当や食事を取る時に、片手しか使えないことも多く、スプーンとフォークそれぞれ持ち替えたり不自由である。そこで、スプーンとフォークを一体化してそれぞれの機能を持ちつつ、尚且つ右利きの人、左利きの人各々が使えるようにしたい。
【課題を解決するための手段】
【０００３】  フォークの柄の部分に、スプーンの本体先部位を互いに凹凹面を向い合わせ、固定軸を中心に水平移動して使用すると、右利き・左利き兼用として使え、フォークとして、スプーンとして、それぞれの用途として使用でき、独立性を損なわない。
スプーンをメイン使用時はフォーク凹面下、スプーン凹面上となりフォーク本体の柄を１８０度裏返すとフォーク凹面は上となり、スプーンはフォークの奥に凹面下の状態になりフォークのメイン使用時となる。
【考案の効果】
【０００４】  片手でスプーンとフォークをそれぞれ独立的に使えて、スプーンを水平移動するだけで右利き・左利き関係なく使用することができ、コンパクトに収納できる。
【図面の簡単な説明】
【０００５】
【図１】本考案の右利きの人のスプーン使用実施例の図である。なお、フォーク凹面が下の図１を裏返してフォーク凹面を上にした状態が右利きの人のフォークの使用時になる。
【図２】本考案のスプーン・フォークの収納実施例の図である。
【図３】本考案の左利きの人のスプーン使用実施例の図である。なお、フォーク凹面が下の図１を裏返してフォーク凹面を上にした状態が左利きの人のフォークの使用時になる。
【図４】本考案のフォークのみの使用実施例である。
【考案を実施するための形態】
【０００６】  フォーク本体にスプーンの凹面より柄の部分を２ｃｍ程残した状態で、フォークの本体凹面より柄の２ｃｍ程の位置に、フォークとスプーンの凹面を向い合わせた状態で、３６０度水平回転できる軸にて固定する。
【実施例】
【０００７】  以下、添付図面に従って実施例を説明する。
Ａは耐久性のプラスチック等適宜素材のフォーク、ＢはＡ同様の素材のスプーン。
ａはＡの凹面の柄とＢの凹面の柄をＢが水平移動できるように固定した軸。
Ｂはａを基点にして３６０度水平に移動でき、右利きの人使用時左利きの人使用時とＢの移動によりスプーンとフォークが同時に使用でき、単独のフォークとしても使用できる。
【符号の説明】
【０００８】  Ａ  フォーク本体
Ｂ  スプーン本体
ａ  水平回転軸
【図１】
0003192131.tif 000003
【図２】
0003192131.tif 000004
【図３】
0003192131.tif 000005
【図４】
0003192131.tif 000006
(57)【要約】      （修正有）【課題】電気ストーブでの省エネと最適な暖かさを得る制御装置を提供する。【解決手段】スイッチ１に接続された調節器２と、調節器の出力に接続され調節器の出力電流で動作する無接点リレー３と、無接点リレーの出力に接続され無接点リレーの電圧出力で動作する電気ストーブ４から構成され、電気ストーブの上面に放熱防止板を取り付けたことを特徴とする。【選択図】図１
0003192195.tif 000002
【実用新案登録請求の範囲】
【請求項１】
スイッチに接続された調節器と、調節器の出力に接続され調節器の出力電流で動作する無接点リレーと、無接点リレーの出力に接続され無接点リレーの電圧出力で動作する電気ストーブから構成され、電気ストーブの上面に放熱防止板を取り付けたことを特徴とする、電気ストーブの少エネ化と温度最適化を行う制御装置。
【考案の詳細な説明】
【技術分野】
【０００１】
本考案は電気ストーブでの少エネと最適な暖かさを得る制御装置に関する。
【背景技術】
【０００２】
特許文献１での提案は、感温制御システムである。携帯型の温度情報端末機、温度センサー、端末送信部、本体受信部、制御部を備えた感温制御システムを構成している。
特許文献２での提案は、無段階制御とＯＮ／ＯＦＦ間欠制御方式である。無段階制御はヒータ、駆動部、制御部、温度センサーからなる、室温に応じ電力を自動的に制御する。
他に、電気ストーブを制御する技術としては弱、強の切り替え、ゆらぎ、首振り等もある。
【先行技術文献】
【特許文献】
【０００３】
【特許文献１】特開２０１０−２１６７４６号公報
【特許文献２】登録実用新案３１１４８３１号公報
【考案の概要】
【考案が解決しようとする課題】
【０００４】
椅子に掛けていると、エアコンＯＮでも設定温度に近くなると、主に風になる、床暖房の無い所では、足、膝が冷えてくる、ならば机の下に、足温器、しかし膝の辺りが寒い、では電気ストーブ！、やはり快適な暖かさは、得られない。最適な暖かさを求めるなら繊細な制御が求められる。簡単な装置と扱い易さも重視する要因である。
【課題を解決するための手段】
【０００５】
スイッチに接続された調節器と、調節器の出力に接続され調節器の出力電流で動作する無接点リレーと、無接点リレーの出力に接続され無接点リレーの電圧出力で動作する電気ストーブから構成され、電気ストーブの上面に放熱防止板を取り付ける。
電気ストーブの周辺に温度センサーを設ける。温度センサーの出力（温度信号）を調節器に入力し、調節器で電気ストーブの温度が設定温度になるように調節する。
調節器の表示部には、設定温度ＳＶ、電気ストーブの現在温度ＰＶが表示される。
調節器の出力電流は４〜２０ｍＡ、無接点リレーの電圧出力は１００Ｖである。
【考案の効果】
【０００６】
ストーブは足のすぐ近くで、熱さは無く暖かい、上半身気持ち良い、頭すっきり。
最適の設定温度でムダの減少、更に出力は間欠であり、少エネ効果が期待出来る。
更にストーブ上面に別途傾けた放熱防止板の取り付けで上方向に熱を逃がさなくする、又身体、衣類、落下物等の接触防止が出来る。
【図面の簡単な説明】
【０００７】
【図１】本考案の制御装置の構成を表す図面である。
【実施例１】
【０００８】
段落番号０００５の必要部材での試作は、現時点での使用環境は屋外降雪中、木造板張り廊下（約４．３ヘイホウメートル）、ゴザひき、前面ガラス戸掃き出し、側面窓、レース、カーテンで、室内温度４．５℃。ストーブアナログ反射６００Ｗ横型、調節計設定ＳＶ２２で、起動、ＰＶ２１．９の時点で室内温度９℃。温度差は気にならない範囲の僅かである。
【実施例２】
【０００９】
段落番号０００８の使用環境で膝掛け、椅子前面に布を下げた場合、ＰＶ２２．４である。
【符号の説明】
【００１０】
１    スイッチ
２    調節器
３    無接点リレー
４    電気ストーブ
５    温度センサー
【図１】
0003192195.tif 000003